(57)【要約】【課題】  作業機械の作動油タンク構造に関し、簡素な構成で小型化及びコスト削減を可能にする。【解決手段】  作業機械の前方において上下方向へ回動可能に軸支されたブーム１７の支軸の延長線に対して後方配置された作動油タンク１と、その上端に位置する第１上面部２ｂと第１上面部２ｂに対して段差を介して下方に配置された第２上面部２ａとからなるタンク上面２と、該支軸の延長線よりも下方で作動油タンク１の前面に固設され作動油の戻り油管路を接続する配管接続口３と、タンク１の内部で配管接続口３に接続されるとともに第２上面部２ａに上端を固定され配管接続口３から流入する該作動油を濾過する作動油フィルタ装置４と、第２上面部２ａにおける作動油フィルタ装置４との固定面に開口された作動油フィルタ装置４の内部点検用の開口孔５と、開口孔５を開閉自在に覆う開口蓋６とを備える。【選択図】        図１
2006328883.tif 000002
【特許請求の範囲】
【請求項１】
作業機械の前方において上下方向へ回動可能に軸支されたブームの支軸の延長線に対して後方配置される、油圧駆動装置の作動油タンクと、
該作動油タンクの上部に設けられ、該作動油タンクの上端に位置する第１上面部と、該第１上面部に対して段差を介して下方に配置された第２上面部とからなるタンク上面と、
該支軸の延長線よりも下方における該作動油タンクの前面に固設され、作動油の戻り油管路を接続する配管接続口と、
該作動油タンクの内部において該配管接続口に接続されるとともに該第２上面部に上端を取付けられ、該配管接続口から流入する該作動油を濾過する作動油フィルタ装置と、
該第２上面部における該作動油フィルタ装置との固定面に開口された該作動油フィルタ装置の内部点検用の開口孔と、
該開口孔を開閉自在に覆う開口蓋と
を備えたことを特徴とする、作業機械の作動油タンク構造。
【請求項２】
該タンク上面が、該第１上面部を上段とし該第２上面部を下段とする階段状に形成される
ことを特徴とする、請求項１記載の作業機械の作動油タンク構造。
【請求項３】
該作動油フィルタ装置は、
該作動油タンクの内部における該第２上面部に上端を固定されるとともに、該配管接続口に内部配管を介して接続されるハウジングと、
該ハウジングに内蔵され、該配管接続口から流入する該作動油を濾過するフィルタエレメントとを有し、
該開口孔は、該フィルタエレメントを該ハウジングの中から取出し可能に開口される
ことを特徴とする、請求項１又は２記載の作業機械の作動油タンク構造。
【請求項４】
該作動油タンクの前面近傍に配設されて該油圧駆動装置へ流通する該作動油の流量をコントロールするコントロールバルブと、
該コントロールバルブと該油圧駆動装置とを接続する作動油ホースとを備え、
該作動油タンクが、該油圧駆動装置の側方に配置されるとともに、
該作動油ホースが、該作動油タンクの上端面近傍を通って該油圧駆動装置へ配設される
ことを特徴とする、請求項２又は３記載の作業機械の作動油タンク構造。
【請求項５】
該第１上面部と該第２上面部との段差内の空間に設置される収納箱を備える
ことを特徴とする、請求項１〜４のいずれか１項に記載の作業機械の作動油タンク構造。
【請求項６】
該第１上面部と該第２上面部との段差量が、該作動油フィルタ装置の上下長に応じて設定される
ことを特徴とする、請求項１〜５のいずれか１項に記載の作業機械の作動油タンク構造。
【発明の詳細な説明】
【技術分野】
【０００１】
本発明は、油圧駆動装置を搭載した作業機械の作動油タンク構造に関する。
【背景技術】
【０００２】
従来より、油圧駆動式のブームやバケット，クローラ等の各作業装置を搭載した油圧ショベル等の作業機械においては、エンジンによって駆動される作動油ポンプによって、作動油が作動油タンクから各作業装置へ供給され、その後、その作動油が各作業装置から作動油タンクへ還流するようになっている。つまり作動油は、閉鎖された油圧回路内を繰り返し循環するようになっている。
【０００３】
このような作動油の循環中には、作動油内に金属磨耗粉やシール破片等の異物が混入するおそれがある。そのため、作動油タンク内に作動油フィルタ装置を設置して、各作業装置からの戻り油中に含まれる異物を除去する技術が提案されている。
例えば、特許文献１には、作業装置（油圧アクチュエータ）からの戻り油が流入する流入室の上部側に、作動油フィルタ装置が装着されるフィルタ装着領域を設け、一方、流入室の下部側に、作動油フィルタ装置を通過した作動油を貯留する貯留領域を設けた構成が記載されている。
【０００４】
このように、戻り油を一旦フィルタに通して貯留する構成によって、作動油中の異物を取り除くことができるようになっている。また、フィルタ装着領域を流入室の上部側に設けることにより、容易にタンクの天板を開放してフィルタエレメントの交換を行うことができるようになっている。
ところで近年、市街地等の狭隘な場所での作業に適した油圧ショベルとして、旋回半径の小径な小型油圧ショベルが開発されている。
【０００５】
図６に、典型的な小型油圧ショベルの上部旋回体の上面図を示す。なおここでは、上部旋回体の内部構成を説明するために、その外装カバーとキャブを取り外した状態が示されている。
この上部旋回体４０の機体中央部には、図示しない下部走行体上に載架されるセンターフレーム３４が設けられている。センターフレーム３４上には、鉛直に立設されて機体前後方向に延在する支持プレート３６が、機体左右方向に平行となるように一対備えられている。これらの一対の支持プレート３６の各々には、機体左右方向に同軸貫通する軸孔２７が形成されており、この軸孔２７を貫通してブームフートピン３５が各支持プレート３６に対して固定されるようになっている。
【０００６】
また、このブームフートピン３５は、機体前方の左右中央部においてブーム３７（図６に二点鎖線で示す）を上下方向へ回動可能に軸支するピン軸として機能するようになっており、ブーム３７の基端部がブームフートピン３５によって枢支されるようになっている。
機体後方には機体の重量バランスを取るためのカウンタウェイト３１が備えられている。また、カウンタウェイト３１の前方に隣接するように、エンジン３０や各種冷却装置が設置されるエンジンルームと、各作業装置へ作動油を供給する作動油ポンプ２９が配設されている。なお、センターフレーム３４よりも左側は、乗員が搭乗するキャブが設けられるスペースとなっており、一方、センターフレーム３４よりも右側は、燃料タンク３３及び作動油タンク２１が左右方向に並んで設置されているスペースとなっている。
【特許文献１】特開２００２−２１８０３号公報
【発明の開示】
【発明が解決しようとする課題】
【０００７】
ここで、作動油タンク２１の周囲のレイアウトに着目すると、作動油タンク２１の機体右側方に隣接して燃料タンク３３が配置されている。また、作動油タンク２１の機体左側方にはセンターフレーム３４が配置されており、ブームフートピン３５によって軸支されるブーム３７の上下方向回動範囲領域となっている。さらに、作動油タンク２１の後方には、エンジン３０や作動油ポンプ２９が配置されている。このように、作動油タンク２１の周囲には、各種装置類が隙間なく配置されているため、作動油タンク２１へ作動油を還流させる配管経路を設計するにあたって、作動油タンク２１の前面から配管を接続させる経路を確保する必要がある。
【０００８】
一方、このような小型油圧ショベルにおいて、作業装置の整備や交換のためにブーム３７を上部旋回体４０から取り外す場合に、ブーム３７を軸支するブームフートピン３５を抜き取ることが必要となる。このため、ブームフートピン３５の延長線上付近には、ブームフートピン３５を着脱するための作業用空間を確保しなくてはならず、各種機器類を配置することができない。そこで、図５に示すように、作動油タンク２１の前面に接続される配管材とブームフートピン３５の延長線とが干渉しないように配管接続口２３の位置が定められることになり、例えば、ブームフートピン３５の下縁に対し、鉛直方向に所定の離隔距離Ｈが確保されるように、配管接続口２３の取付高さが設定されている。
【０００９】
しかし、配管接続口２３から流入する作動油中の異物を除去するために配管接続口２３に接続されて作動油タンク２１内に設けられる作動油フィルタ装置２４は、図５に示すように、内部のフィルタエレメントの交換作業が作動油タンク２１の上部から容易に行えるように、作動油タンク２１の上面（上端のプレート部分）に対して取付けられるようになっている。つまり、作動油フィルタ装置２４のメンテナンス性を考慮して、作動油タンク２１のうちの最上部に作動油フィルタ装置２４の上端部の取付高さが設定されており、作動油タンク２１の上面に設けられた開口蓋２６を開放することで、作動油フィルタ装置２４内のフィルタエレメントを容易に清掃，交換できるようになっているのである。
【００１０】
一方、作動油フィルタ装置２４は前述のように、作動油タンク２１内において、作動油が流入する配管接続口２３に接続されるが、要求される取付高さの制約と、作動油フィルタ装置２４に要求される取付高さの制約との相違から、作動油フィルタ装置２４が小容量で長さが短く作動油フィルタ装置２４の下端が配管接続口２３の取付高さまで到達しない場合には、配管接続口２３と作動油フィルタ装置２４とを接続させることができなくなるという課題がある。
【００１１】
また、一般に作動油フィルタ装置２４の容量は、油圧ショベルの全作動油量、すなわち、油圧アクチュエータや油圧モータの大きさや油圧ポンプの能力等、油圧ショベルの全体的な性能に応じて設定される。したがって、特に小型油圧ショベルの場合には、大型の油圧ショベルよりも作動油フィルタ装置２４の容量が比較的小さく設定されることになり、作動油フィルタ装置２４の上下長、すなわち、作動油タンクの上面から下方へ伸びる長さも短くなってしまう。このため、配管接続口２３と作動油フィルタ装置２４との接続がより困難になる。
【００１２】
本発明は、このような課題に鑑み案出されたもので、簡素な構成で小型化及びコスト削減が可能な、作業機械の作動油タンク構造を提供することを目的とする。
【課題を解決するための手段】
【００１３】
上記目的を達成するため、本発明の作業機械の作動油タンク構造（請求項１）は、作業機械の前方において上下方向へ回動可能に軸支されたブームの支軸の延長線に対して後方配置される、油圧駆動装置の作動油タンクと、該作動油タンクの上部に設けられ、該作動油タンクの上端に位置する第１上面部と、該第１上面部に対して段差を介して下方に配置された第２上面部とからなるタンク上面と、該支軸の延長線よりも下方における該作動油タンクの前面に固設され、作動油の戻り油管路を接続する配管接続口と、該作動油タンクの内部において該配管接続口に接続されるとともに該第２上面部に上端を取付けられ、該配管接続口から流入する該作動油を濾過する作動油フィルタ装置と、該第２上面部における該作動油フィルタ装置との固定面に開口された該作動油フィルタ装置の内部点検用の開口孔と、該開口孔を開閉自在に覆う開口蓋とを備えたことを特徴としている。
【００１４】
また、該タンク上面が、該第１上面部を上段とし該第２上面部を下段とする階段状に形成されることが好ましい（請求項２）。
また、該作動油フィルタ装置は、該作動油タンクの内部における該第２上面部に上端を固定されるとともに、該配管接続口に内部配管を介して接続されるハウジングと、該ハウジングに内蔵され、該配管接続口から流入する該作動油を濾過するフィルタエレメントとを有し、該開口孔は、該フィルタエレメントを該ハウジングの中から取出し可能に開口されることが好ましい（請求項３）。
【００１５】
また、該作動油タンクの前面近傍に配設されて該油圧駆動装置へ流通する該作動油の流量をコントロールするコントロールバルブと、該コントロールバルブと該油圧駆動装置とを接続する作動油ホースとを備え、該作動油タンクが、該油圧駆動装置の側方に配置されるとともに、該作動油ホースが、該作動油タンクの上端面近傍を通って該油圧駆動装置へ配設されることが好ましい（請求項４）。
【００１６】
なお、該第１上面部と該第２上面部との段差内の空間に設置される収納箱を備えることが好ましい（請求項５）。
さらに、該第１上面部と該第２上面部との段差量が、該作動油フィルタ装置の上下長に応じて設定されることが好ましい（請求項６）。
【発明の効果】
【００１７】
本発明の作動油タンク構造（請求項１）によれば、作動油タンクの上端に位置する第１上面部よりも下方に第２上面部を配置して作動油フィルタ装置を取付けるという簡素な構成で、上下長の短い小型の作動油フィルタ装置を、そのメンテナンス性を確保しながら適用することができ、作業機械の小型化及びコストダウンが可能となる。また、作動油フィルタに要求される配置上の二つの制約のうち、上端高さに関する制約よりも配管接続口の高さに関する制約を、実質的に優先することができ、レイアウト上の自由度を増大させることができる。
【００１８】
また、本発明の作動油タンク構造（請求項２）によれば、タンク上面の単純な段付き形状のみで、フィルタサイズ（上下長）の変更に、容易に対応できる。
また、本発明の作動油タンク構造（請求項３）によれば、一般的な作動油フィルタ装置を適用することができ、製造のための労力及びコストをより削減できる。
また、本発明の作動油タンク構造（請求項４）によれば、作動油ホースと作動油タンクとの干渉を防止することができ、レイアウト上の自由度を大きくすることができる。
【００１９】
また、本発明の作動油タンク構造（請求項５）によれば、第１上面部及び第２上面部の段差スペースの有効利用を図ることができる。
また、本発明の作動油タンク構造（請求項６）によれば、作動油フィルタ装置の上下長に応じた段差量の設定により、作動油フィルタ装置の容量を問わず、メンテナンス性の確保，作業機械の小型化及びコストダウンが可能となる。
【発明を実施するための最良の形態】
【００２０】
以下、本発明の一実施形態にかかる作動油タンク構造を、図１〜図４に基づいて説明する。図中、図１は本作動油タンク構造を適用された作業機械の上部旋回体の全体構成及び作動油タンクの内部構成を模式的に示す部分断面側面図、図２は本作動油タンク構造が適用された作業機械の上部旋回体の全体構成を模式的に示す上面図、図３は本作動油タンク構造が適用された作業機械の上部旋回体の全体構成を模式的に示す斜視図、図４は本作動油タンク構造を模式的に示す拡大断面図である。
【００２１】
［構成］
図３には、上部旋回体の内部構成を説明するために、その外装カバー，キャブ及び作業機械としてのブーム等を取り外した状態が示されており、上部旋回体２０は、骨組みとしてのスイングフレーム１２上に様々な装置を積載した状態で下部走行体（図示せず）上に設けられている。まず、スイングフレーム１２は、下部走行体に対して旋回可能に載架されるセンターフレーム１４と、センターフレーム１４の左右側方に各々固定される左サイドフレーム１４ａ，右サイドフレーム１４ｂとを備えて構成される。
【００２２】
センターフレーム１４には、図２に示すように、その機体前方側に作業装置としてのブーム１７が取付けられており、機体後方側には機体の重量バランスを取るためのカウンタウェイト１１が備えられる。また、カウンタウェイト１１の直前方には、センターフレーム１４から機体左右方向のサイドフレーム１４ａ，１４ｂへ跨るようにエンジンルームが設けられ、このエンジンルーム内には、エンジン１０や各種冷却装置が設置される。また、エンジンルームに隣接してその右側方には、エンジン１０によって駆動されて各作業装置へ作動油を吐出供給する作動油ポンプ９が設けられる。
【００２３】
右サイドフレーム１４ｂの機体前方側には、燃料タンク１３及び作動油タンク１が左右方向に並んで設置される。燃料タンク１３の上面には給油口１３ａが備えられ、給油口１３ａから給油された燃料は、燃料タンク１３内に貯留され、エンジン１０へ供給される。
また、燃料タンク１３の左側方に隣接設置された作動油タンク１の内部には、ブームやスティック等の油圧アクチュエータや旋回モータ，走行モータ等の油圧モータ（油圧駆動装置）を駆動するための作動油が貯留されている。この作動油は、図１に示すように、作動油タンク１よりも機体後方側に位置する作動油ポンプ９へ吸い込まれてから各種油圧駆動装置へ供給され、その後、戻り油として再び作動油タンク１内へ還流するようになっている。つまり、油圧駆動装置の作動油は、所定の油圧回路内を繰り返し循環する。なお、ここでは前述の通り図示を省略しているが、左サイドフレーム１４ａ上の機体前方には、乗員が搭乗するキャブが設置されている。
【００２４】
図３に示すように、作動油タンク１よりも機体前方側には、作動油ポンプ９から吐出された作動油の流量を制御するためのコントロールバルブ８が備えられている。例えば、乗員の操作によって各油圧駆動装置の作動量が指令されると、コントロールバルブ８において各油圧駆動装置へ供給される作動油の流量が制御される。つまり、コントロールバルブ８は、作動油ポンプ９と各油圧駆動装置とを連結する油圧回路上に介装されている。なお、コントロールバルブ８に接続された作動油配管材としての作動油ホースのうち、ブーム１７やその先端側のスティック，バケットを駆動するための油圧駆動装置へと導かれる作動油ホース１９は、図１に示すように、ブーム１７に固定され、作動油タンク１の上端面近傍を通って配設されている。
【００２５】
また、図３に示すように、センターフレーム１４上には、鉛直に立設されて機体前後方向に延在する支持プレート１６が、機体左右方向に平行となるように一対備えられる。これらの一対の支持プレート１６の各々には、機体左右方向に同軸貫通する軸孔７が形成される。軸孔７には、これらを貫通するようにブームフートピン１５が挿通され、ブームフートピン１５は一対の支持プレート１６の各々に対して固定される。
【００２６】
このブームフートピン１５は、図１に示すように、上部旋回体２０に対してブーム１７を上下方向へ回動可能に軸支するピン軸として機能するようになっており、ブーム１７の基端部がブームフートピン１５によって枢支されている。なお、ブームフートピン１５の支軸Ｃは、機体左右方向に配向されている。
図２に示すように、作動油タンク１は、ブームフートピン１５の支軸Ｃの延長線に対して後方に位置するように配設される。また、図１に示すように、作動油タンク１のタンク上面２は、その上端に位置して上端面を形成する第１上面部２ｂと、第１上面部２ｂに対し機体前方側への段差を介して下方に配置された第２上面部２ａとを備えて構成されている。このタンク上面２は、第１上面部２ｂを上段とし該第２上面部２ａを下段とする階段状に形成されている。これにより第２上面部２ａは、作動油タンク１の上部前端角に設けられることになり、段差によって下方へ凹んだ第２上面部２ａの上方には何もない空間が形成される。
【００２７】
なお、本実施形態では、第２上面部２ａの段差の大きさ、すなわち、第１上面部２ｂの高さと第２上面部２ａの高さとの差の大きさ（段差量Ｓ）が、作動油タンク１の内部に設けられる作動油フィルタ装置４の上下長に応じて設定されるようになっている。具体的には、作動油の戻り油管路が接続される配管接続口３に対して、作動油フィルタ装置４を無理なく接続しうる最も高い位置に配置しようとしたときに、第２上面部２ａが作動油フィルタ装置４の上端部と丁度接触した状態で作動油フィルタ装置４を固定できる高さとなるように、第２上面部２ａの段差量Ｓが設定される。
これにより、作動油フィルタ装置４の上下長が長い場合には段差量Ｓが小さく設定され、作動油フィルタ装置４の上下長が短い場合には段差量Ｓが大きく設定されるようになっている。
【００２８】
また、図４に示すように、第２上面部２ａには開口孔５が穿孔され、開口孔５の下部には、各油圧駆動装置から戻ってくる作動油を濾過する作動油フィルタ装置４が固定される。なお、開口孔５の上面には、開口孔５を開閉自在に覆う開口蓋６が取付けられている。第２上面部２ａの開口蓋６を開放することによって、作動油タンク１の内部に設けられた作動油フィルタ装置４の内部点検ができるようになっている。なお、図１に示すように、開口蓋６は、第２上面部２ａによってその上方に形成された何もない空間の内側に収められている。
【００２９】
図１に示すように、作動油タンク１の前面には、ブームフートピン１５の支軸Ｃの延長線よりも下方において、配管接続口３が設けられている。作動油は、配管接続口３を介して作動油タンク１へ還流するようになっている。
なお、配管接続口３の設定高さは、図１に示すように、配管接続口３に接続される配管材とブームフートピン１５とが干渉しない高さに設定されている。例えばここでは、ブームフートピン１５の下縁に対し、鉛直方向に所定の離隔距離Ｈが確保されるように、配管接続口３の取付高さが設定されている。
【００３０】
また、作動油タンク１の周囲のレイアウトは、図２に示すように、作動油タンク１の機体右側方に燃料タンク１３が配置されるとともに、機体左側方にセンターフレーム１４の支持プレート１６が配置され、ブームフートピン１５によって軸支されるブーム１７の上下方向回動範囲領域となっている。また、作動油タンク１の後方にはエンジン１０や作動油ポンプ９が配されている。このように、作動油タンク１の周囲には各種装置が隙間なく配置されているため、作動油の還流経路は、作動油タンク１の前面（機体前方の面）に確保される。
【００３１】
また、図４に示すように、作動油フィルタ装置４は、ハウジング４ａとフィルタエレメント４ｂと流出口４ｃとを備えて構成されている。ハウジング４ａは、配管接続口３からの戻り油を内部に流入させる容器状の形状をなしており、作動油タンク１の前方において配管接続口３と内部配管２５を介して接続されている。また、このハウジング４ａは、第２上面部２ａに上端を固定されて取付けられている。これにより、作動油フィルタ装置４は、作動油タンク１の上方かつ前方に配設されることになる。
【００３２】
また、フィルタエレメント４ｂは、ハウジング４ａ内に流入してきた戻り油を濾過するためのフィルタ部材であって、ハウジング４ａに内蔵されている。なお、フィルタエレメント４ｂは、ハウジング４ａの内部において、配管接続口３から作動油が流入してくる流入室と、作動油フィルタ装置４外部の作動油タンク１内へ作動油を流出させる流出室とを区画するように配置される。これにより配管接続口３から流入する戻り油としての作動油は、作動油フィルタ装置４内部においてフィルタエレメント４ｂを通過してから作動油タンク１へ貯留されることになる。
また、流出口４ｃは、フィルタエレメント４ｂを通過した作動油を作動油タンク１内へ流出させる作動油の通路として、作動油フィルタ装置４の下面に設けられている。
【００３３】
［作用・効果］
本発明の一実施形態にかかる作業機械の作動油タンク構造は、上述のように構成されて、以下のような作用・効果を奏する。
まず、配管接続口３は、ブームフートピン１５の支軸Ｃの延長線よりも下方において、配管接続口３に接続される配管材とブームフートピン１５の下縁とが干渉しない高さで、作動油タンク１の前面に設けられる。これにより、ブームフートピン１５の軸心の延長線上付近に何もない空間を設けることができ、例えば、各種整備点検，部品交換のためにブーム１７を上部旋回体２０から取り外す際には、ブームフートピン１５を軸方向へ容易に引き出すことができる。
【００３４】
また、作動油フィルタ装置４は、作動油タンク１の第２上面部２ａに上端を固定されるとともに、その固定面には作動油フィルタ装置４の内部点検用の開口孔５及びこれを覆う開口蓋６が設けられている。つまり、開口蓋６を開放することによって、作動油フィルタ装置４の内部点検をすることができる。また、作動油フィルタ装置４に内蔵されたフィルタエレメント４ｂの清掃，交換作業も容易となり、作動油フィルタ装置４のメンテナンス性を向上させることができる。
【００３５】
また、作動油フィルタ装置４が固定される第２上面部２ａの第１上面部２ｂとの段差量Ｓは、作動油フィルタ装置４の上下長に応じて設定されるようになっており、作動油フィルタ装置４を、配管接続口３に対して無理なく接続しうる最も高い位置に配置しようとしたときに、第２上面部２ａが作動油フィルタ装置４の上端部と丁度接触した状態で作動油フィルタ装置４を固定できる高さとなるように、第２上面部２ａの段差量Ｓが設定される。
【００３６】
つまり、本実施形態では、作動油フィルタ装置４に要求される配置上の二つの制約、すなわち、（１）配管接続口３の高さに関する制約（ブームフートピン１５から鉛直方向に所定の離隔距離Ｈが確保されるように、配管接続口３の取付高さが設定されること）、と、（２）作動油フィルタ装置４の上端高さに関する制約（作動油フィルタ装置４が作動油タンク１の第２上面部２ａに対して上端を固定されること）、との二つの条件のうち、第２上面部２ａを設けたことによって、上記条件（２）を実質的に緩和して、上記条件（１）を優先させた配置が可能となる。
【００３７】
またこれにより、作動油フィルタ装置４と配管接続口３との距離を近づけることができるため、従来の作動油タンク構造と比較すると、作動油フィルタ装置４と配管接続口３とを連結するための内部配管２５を短くすることができ、作動油の圧損を減少させることができる。
また、この第２上面部２ａは、作動油タンク１の第１上面部２ｂから下方へ向けて階段状に形成された階段状のシンプルな形状であり、製造・加工が容易であるとともに、フィルタサイズの変更（例えば、作動油フィルタ装置４の上下長やその取付け高さの変更）に容易に対応できる。さらに、階段状の第２上面部２ａを備えたことによって、第２上面部２ａの上方に何もない空間が形成されることになる。つまり、従来、作動油タンク１の上面に突出していた作動油フィルタ装置４の開口蓋６を収容する空間を形成することができ、開口蓋６の突出量を減少させたり、全く突出させないようにすることもできる。
【００３８】
また、第２上面部２ａの段差量Ｓを作動油フィルタ装置４の上下長に応じて変更することもできる。つまり、例えば作動油フィルタ装置４の容量が小さく、その上下長が短いような場合には、段差量Ｓを大きく設定することによって、配管接続口３の位置を変更することなく、作動油フィルタ装置４と配管接続口３とを内部配管２５にて接続することができる。
【００３９】
また、作動油タンク１の前方に配置された作動油のコントロールバルブ８からブーム１７やその先端側のスティック，バケットを駆動するための油圧駆動装置へと導かれる作動油ホース１９が、作動油タンク１の上端面近傍を通って配設されるようになっているが、上述の実施形態では、作動油タンク１の上部前端角に第２上面部２ａを備えた構成となっているため、例えば従来の第２上面部２ａを備えていない作動油タンク構造と比較すると、たとえブーム１７が上下方向へ回動したとしても、図１に示すように、作動油ホース１９を作動油タンク１の上部前端角と干渉しにくくすることができる。このように、本実施形態によれば、作動油ホース１９と作動油タンク１との干渉を回避させることができ、レイアウト上の自由度を大きくすることができる。
【００４０】
なお、上述の実施形態の作動油フィルタ装置４としては、フィルタエレメント４ｂを内蔵する一般的な構造の作動油フィルタを用いることができ、例えば、特注品のフィルタ装置を用意する必要がなく、製造のための労力及びコストを削減することができる。
【００４１】
［その他］
以上、本発明の一実施形態について説明したが、本発明はこのような実施形態に限定されるものではなく、本発明の趣旨を逸脱しない範囲で種々変形して実施することができる。
【００４２】
上述の各実施形態では、第２上面部２ａが、作動油タンク１の第１上面部２ｂを上段とし第２上面部２ａを下段とする階段状に形成されているが、第１上面部２ｂと第２上面部２ａとによって段差が形成されていればよく、第２上面部２ａの位置は任意であって、あるいは、タンク上面２が階段状となっていなくてもよい。
つまり、タンク上面２のうち、作動油フィルタ装置４の上端を固定する部分を周囲よりも低くすることによって、上記の作動油フィルタ装置４に要求される配置上の制約のうちの条件（２）を実質的に緩和することができ、上述の実施形態と同等の効果を得ることができる。
【００４３】
また、上述の実施形態では、第２上面部２ａによって形成される、第２上面部２ａよりも上方の何もない空間には、作動油フィルタ装置４の開口蓋６が収められるようになっているが、例えば図１に二点鎖線で示すように、この空間に点検整備用のツールボックス，収納箱１８を備えるように構成することも考えられる。このような構成により、段差によって生じるスペースの有効利用を図ることが可能となる。
【図面の簡単な説明】
【００４４】
【図１】本発明の一実施形態にかかる作動油タンク構造が適用された作業機械の上部旋回体の全体構成及び作動油タンクの内部構成を示す部分断面側面図である。
【図２】図１にかかる作業機械の上部旋回体の全体構成を示す上面図である。
【図３】図１にかかる作業機械の上部旋回体の全体構成を示す斜視図である。
【図４】本発明の一実施形態にかかる作動油タンク構造を示す拡大断面図である。
【図５】従来技術にかかる作業機械の上部旋回体の全体構成及び作動油タンクの内部構成を示す部分断面側面図である。
【図６】図５にかかる作業機械の上部旋回体の構成を示す上面図である。
【符号の説明】
【００４５】
１  作動油タンク
２  タンク上面
２ａ  第２上面部
２ｂ  第１上面部
３  配管接続口
４  作動油フィルタ装置
４ａ  ハウジング
４ｂ  フィルタエレメント
４ｃ  流出口
５  開口孔
６  開口蓋
７  ブームフートピンの軸孔
８  コントロールバルブ
９  作動油ポンプ
１０  エンジン
１１  カウンタウェイト
１２  スイングフレーム
１３  燃料タンク
１４  センターフレーム
１４ａ  左サイドフレーム
１４ｂ  右サイドフレーム
１５  ブームフートピン
１６  一対の支持プレート
１７  ブーム
１８  収納ボックス
１９  作動油ホース
２０  上部旋回体
２５  内部配管
【図１】
2006328883.tif 000003
【図２】
2006328883.tif 000004
【図３】
2006328883.tif 000005
【図４】
2006328883.tif 000006
【図５】
2006328883.tif 000007
【図６】
2006328883.tif 000008